(57)【要約】【課題】粘着テープの端部が露出することで引き出しやすく、刃が露出していないので安全なテープカッターを提供する。【解決手段】本体５の玉テープ収納位置の左右近傍から弾性材で形成された各々アームが延設され、この両アームの先端に粘着テープをカットする上下の顎部１１が設けられ、少なくとも一方の顎部１１に刃１３が設けられる。そして、片手の指で両アームをつまんで押すことで、両顎部を互いに押圧し、粘着テープをカットをする。刃１３は、顎部１１に設けられる弾性カバー１５で覆われ、この弾性カバー１５には刃窓１７が形成され、押圧に伴い刃１３は刃窓１７から露出し、カットを行う。 【選択図】図１
0003146223.tif 000002
【実用新案登録請求の範囲】
【請求項１】
片手に持つことができる大きさで、粘着テープを巻いた状態である玉テープを収納する本体と、この玉テープから引き出した粘着テープをカットする上下の顎部と、各顎部を前記本体に対してそれぞれ弾性的に支持し、前記片手の指でつまんで押すことで前記両顎部を互いに押圧できる、弾性材で形成されたアームと、少なくとも一方の顎部に設けられ、前記押圧にともない前記カットをするための刃と、を有することを特徴とするハンドヘルドテープカッター。
【請求項２】
前記アームは、本体の玉テープ収納位置の左右近傍から延設され、前記顎部に設けられる前記刃は、前記顎部に設けられる弾性カバーで覆われ、この弾性カバーには刃窓が形成され、前記押圧に伴い前記刃は刃窓から露出する位置関係を有することを特徴とする請求項１に記載のハンドヘルドテープカッター。 
【考案の詳細な説明】
【技術分野】
【０００１】
この考案は、片手に持つことができ、粘着テープを巻いた状態である玉テープを収納し、この玉テープから巻き出した粘着テープをカットするテープカッターに関する。
【背景技術】
【０００２】
以上のような玉テープを収納し、この玉テープから引き出した粘着テープをカットするテープカッターには、例えば、特許文献１の技術が存在する。この技術では、粘着テープをカットする一方の顎部は、アームの先端に設けられる。このアームは、本体の先端部で、回動可能に設けられ、バネによって開方向へ付勢される。
【特許文献１】特開平０８−１８３９６１
【考案の開示】
【考案が解決しようとする課題】
【０００３】
しかしながら、特許文献１では、カットが終わり、次のテープを引き出すときに、テープが露出しにくく、引き出しにくい。また、次のテープを引き出すときに、アームは大きく回動し、刃は大きく露出しているので、危険である。
この考案は、以上の問題点を解決するために、粘着テープが露出することで引き出しやすく、刃が露出していないので安全なテープカッターを提供することを目的とする。
【課題を解決するための手段】
【０００４】
以上の課題を解決するために、第一考案は、片手に持つことができる大きさで、粘着テープを巻いた状態である玉テープを収納する本体と、この玉テープから引き出した粘着テープをカットする上下の顎部と、各顎部を前記本体に対してそれぞれ弾性的に支持し、前記片手の指でつまんで押すことで前記両顎部を互いに押圧できる、弾性材で形成されたアームと、少なくとも一方の顎部に設けられ、前記押圧にともない前記カットをするための刃と、を有することを特徴とするハンドヘルドテープカッターである。
【０００５】
第二考案は、さらに、前記アームは、本体の玉テープ収納位置の左右近傍から延設され、前記顎部に設けられる前記刃は、前記顎部に設けられる弾性カバーで覆われ、この弾性カバーには刃窓が形成され、前記押圧に伴い前記刃は刃窓から露出する位置関係を有することを特徴とするハンドヘルドテープカッターである。
【考案の効果】
【０００６】
第一、又は第二考案によれば、粘着テープをカットする上下の顎部が、両方とも、本体に対しそれぞれ、弾性材で形成されたアームで、弾性的に支持されるので、アームが押圧されていない状態で、各アームと各顎部は、反押圧方向へ大きく後退している。よって、カットが終わり、次のテープを引き出すときに、引き出し端部のテープは、各アームと各顎部にじゃまされず、露出しやすく、引き出しやすい。
【０００７】
また、このように後退量を多くとっても、弾性が弾性材で形成されたアーム自体によるものであるから、特許文献１に比べ、アームの回動は小さく、刃の回動も小さい。よって刃は内側に向いたままであり、外側向きの露出は小さく、危険性は小さい。
第二考案によれば、さらに、アームは、本体の玉テープ収納位置の左右近傍から延設され、よって十分な長さを有することができる。このため、十分な後退量をとれ、刃の回動も小さい。
【０００８】
また、刃は、顎部に設けられる弾性カバーで覆われ、この弾性カバーには刃窓が形成され、押圧に伴い刃は刃窓から露出する。よって、刃の露出は、押圧されカットされるときのみである。このため、カットが終わり次のテープを引き出すときに、刃の露出はなく、危険性はない。  
【考案を実施するための最良の形態】
【０００９】
この考案の実施形態にかかるハンドヘルドテープカッターを、図１乃至図３に示す。
［全体概略］
図１，図２に示すように、このハンドヘルドテープカッター１は、片手に持って操作し、粘着テープであるビニールテープをカットできるものである。すなわち、本体５は片手に持つことができる大きさで、粘着テープを巻いた状態である玉テープ７を収納する。
【００１０】
この本体５の玉テープ収納位置の左右近傍から、各々弾性材で形成されたアーム９が延設され、先端には、玉テープ７から引き出した粘着テープをカットする上下の顎部１１が設けられる。このアーム９によって、各顎部１１は、本体５に対してそれぞれ弾性的に支持される。これらのアーム９を片手の指でつまんで押すことで、両顎部を互いに押圧できる。
【００１１】
上側の顎部１１には刃１３が設けられ、カットを行う。この刃１３は、顎部１１に設けられる弾性カバー１５で覆われる。この弾性カバー１５には、刃１３の先端位置に対応して刃窓１７が形成されている。これにより、押圧に伴い刃１３は刃窓１７から露出する。
【００１２】
［本体５］
図１，図２に示すように、本体５は、玉テープ７よりもやや大きい程度の略短円筒状を有し、片手に持つことができる大きさで、中央に玉テープ７を収納するスペース１９を有する。略短円筒状の底部２１は円形で、玉テープ７よりもやや大きい。略短円筒状の上部がほぼ開放されているが、前側（図中左側）に三日月状のカバー２３が設けられ、後ろ側（図中右側）に二つのローラー２５が設けられる。二つのローラー２５の間から粘着テープは引き出される。これらの三日月状のカバー２３と二つのローラー２５によって、玉テープ７は挟持される。
【００１３】
略短円筒状の側面２７は、後ろ半分が存在するものの、前半分は存在しない。これにより、本体５の略短円筒状のうち、上部のほとんどと、側面２７の前半分は、開放され、玉テープ７を出し入れしやすい。
この側面２７の後ろ半分の両端は、略短円筒状の左右になる。
【００１４】
［アーム９］
本体５の略短円筒状の左右、すなわち玉テープ収納位置の左右近傍から、各々弾性材で形成された両アーム９Ａ，９Ｂが一体的に延設される。延設の方向は、円筒状の折線方向である。
【００１５】
［顎部１１と刃１３］
両アーム９Ａ，９Ｂの先端には、上下の顎部１１が設けられる。下側の顎部１１Ｂには、刃１３を受ける台部２９が形成される。
上側の顎部１１Ａには刃１３が設けられ、カットを行う。この刃１３は、テープの幅と同じ幅を有する四角状をなし、先端が鋭利に形成される。
【００１６】
［弾性カバー１５］
また、刃１３は弾性カバー１５で覆われる。この弾性カバー１５は、顎部１１Ａの奥側の内部から円弧状に伸びて設けられ、刃１３の先端を覆う。そして、刃１３の先端位置に対応して刃窓１７が、スリット状に形成されている。これにより、押圧に伴い、弾性カバー１５は台部２９に押しつけられて止まり、刃１３は刃窓１７から露出する。
【００１７】
上側の顎の最先端には、先端カバー３１が刃１３と略並行に設けられる。カット時には、先端カバー３１の下端が、カットされた粘着テープを押して、分離させる。
【００１８】
「使用方法」
図１，図２に示すように、このハンドヘルドテープカッター１を使用するには、本体５の略短円筒状の上部のほとんどと側面２７の前半分との開放された部分から、玉テープ７を入れる。入れた玉テープ７を、三日月状のカバー２３と二つのローラー２５によって、挟持させる。
そして、反押圧方向へ大きく後退している各アーム９の間で、露出している粘着テープ３の端部をつまみ、二つのローラー２５の間を通って、上下の顎１１の間に引き出し、台部の上に粘着させて準備する。
次に、例えば、左手でハンドヘルドテープカッター１を持ち、右手で粘着テープ３を各顎部１１の間から必要なだけ引き出し、左手の指Ｆで両アーム９をつまんで押すことで、両顎部１１を互いに移動Ｍさせて押圧し、顎部１１Ａの刃１３によって、粘着テープ３をカットをする（図３（Ｂ））。
【００１９】
「実施形態の効果」
（１）上下の顎部１１が、両方とも、本体５に対しそれぞれ、弾性材で形成されたアーム９で、弾性的に支持されるので、アーム９が押圧されていない状態で、各アーム９と各顎部１１は、反押圧方向へ大きく後退している。一つのアーム９による場合に比べ、２倍の後退量Ｌになる。
よって、カットが終わり、次のテープを引き出すときに、引き出し端部のテープは、後退した各アーム９と各顎部１１にじゃまされず、露出しやすく、引き出しやすい。
【００２０】
（２）また、このように後退量Ｌを多くとっても、弾性が弾性材で形成されたアーム９自体によるものであるから、特許文献１に比べ、アーム９Ａの回動は小さく、刃１３の回動Ｒも小さい。よって刃１３は内側に向いたままであり、刃１３が外側向きになる割合が小さく、よって外向きの露出は小さく、危険性は小さい。
【００２１】
さらに、アーム９は、本体５の玉テープ収納位置の左右近傍から延設され、よって十分な長さを有することができる。このため、十分な後退量Ｌをとれ、刃１３の回動もより小さい。
また、刃１３は、不使用時には、顎部１１Ａに設けられる弾性カバー１５で覆われ、この弾性カバー１５には刃窓１７が形成され、押圧に伴い刃１３は刃窓１７から露出する。よって、刃１３が露出するのは、押圧されカットされるときのみである。このため、カットが終わり次のテープを引き出すときに、刃１３の露出はなく、危険性はない。
【００２２】
（３）玉テープ７を出し入れは、本体５の略短円筒状の上部のほとんどと側面２７の前半分との開放された部分から、行い、入れた玉テープ７を三日月状のカバー２３と二つのローラー２５によって、挟持させる。よって、出し入れを容易に行える。
【００２３】
「他の実施形態」
以上の実施形態では、下側の顎部１１には、刃１３を受ける台部２９が形成されるが、他の実施形態では、下の顎部１１にも、刃１３を設け、これにより上下の刃１３で、ハサミのようにテープに剪断力を与えて、鋭くカットすることもできる。
【００２４】
また、以上の実施形態では、刃１３は、四角状をなすものであったが、他の実施形態では、横向きの台形状にすることで、刃１３の下端を斜めにし、下の顎部１１にも刃１３を設け、ハサミのように剪断力を与える際に、切れ味を向上させることもできる。
【図面の簡単な説明】
【００２５】
【図１】この考案の一実施形態に係るハンドヘルドテープカッターの平面図である。
【図２】図１の斜視図である。
【図３】図１の作用を、刃付近の拡大図で示すもので、（Ａ）はカットしていない状態図、（Ｂ）カットしている状態図である。
【符号の説明】
【００２６】
１…ハンドヘルドテープカッター、３…テープ、５…本体、７…玉テープ、９…アーム、１１…顎部、１３…刃、１５…弾性カバー、１７…刃窓、１９…スペース、２１…底部、２３…三日月状のカバー、２５…ローラー、２７…側面、２９…台部、３１…先端カバー。
【図１】
0003146223.tif 000003
【図２】
0003146223.tif 000004
【図３】
0003146223.tif 000005